(57)【要約】【課題】  防水パンの浴槽裏側部分への水の進入を防止してその汚れ発生を抑制し得たり、浴槽の支持強度アップや浴槽の保温効果を高めることが可能な防水パンを提供する。【解決手段】  皿状に形成された本体の底面上に浴槽が載置されると共に、本体の底面で洗い場が連設される幅方向の一端側に排水口が設けられた防水パンであって、本体の底面で排水口の近傍に、該底面の浴槽裏側部分への水の進入を防止し得る水進入防止手段を設けたことを特徴とする。前記水進入防止手段は、本体の底面に一体形成された堰で形成されたり、浴槽の底壁の例えば半分以上を下面側から覆うように本体の底面を嵩上げした忠実状や中空状の嵩上げ部で形成される。【選択図】  図１
2006226075.tif 000002
【特許請求の範囲】
【請求項１】
皿状に形成された本体の底面上に浴槽が載置されると共に、前記本体の底面で洗い場が連設される幅方向の一端側に排水口が設けられた防水パンであって、
前記本体の底面で排水口の近傍に、該底面の浴槽裏側部分への水の進入を防止し得る水進入防止手段を設けたことを特徴とする防水パン。
【請求項２】
前記水進入防止手段は、本体の底面に一体形成された堰であることを特徴とする請求項１に記載の防水パン。
【請求項３】
前記水進入防止手段は、浴槽の底壁を下面側から覆うように前記本体の底面を嵩上げした嵩上げ部で形成されていることを特徴とする請求項１に記載の防水パン。
【請求項４】
前記嵩上げ部は、中空状もしくは忠実状に形成されていることを特徴とする請求項３に記載の防水パン。
【請求項５】
前記嵩上げ部は、浴槽の底壁の半分以上に密着し得る形状に形成されて浴槽を支持する機能を有することを特徴とする請求項３または４に記載の防水パン。
【発明の詳細な説明】
【技術分野】
【０００１】
本発明は、例えば浴室ユニット等において、その上面に浴槽が設置される防水パンに関する。
【背景技術】
【０００２】
一般的に、浴室ユニットの防水パンとしては、その表面によって洗い場が形成される洗い場側の防水パンと、この防水パンに連設状態で設置されると共にその上面に浴槽が載置される浴槽側の防水パンとで構成されたものが知られている。従来、この種の浴槽側の防水パンしては、例えば特許文献１に開示されており、この防水パンは、皿状に形成された本体と、この本体の底面から上方に突出し、その頂部で浴槽の底部を支える台部等とを有すると共に、本体の底面を傾斜方向の異なる複数の傾斜面で連接することにより、排水口に向かう排水経路を形成するようにしたものである。
【特許文献１】特開２００１−２４５８１３号公報
【発明の開示】
【発明が解決しようとする課題】
【０００３】
しかしながら、このような防水パンにおいては、本体の底面に設けられる傾斜面が、排水口方向に緩やかな角度を有して傾斜しているのみであるため、例えば防水パンの洗い場側の端部と該端部上に載置される浴槽エプロンとの間の隙間から洗い場で使用している水が進入した場合、あるいは防水パンの排水口に設けられた排水トラップから浴室外の水が逆流した場合等に、これらの水が傾斜面を逆流して防水パンの反洗い場側（これを浴槽裏側部分という）に進入する可能性がある。そして、このような水が進入した場合に防水パンの浴槽裏側部分に汚れが発生し易く、この浴槽裏側部分の汚れは、該部分に手や清掃具が入らない状態となっていて、事実上清掃できないのが実情である。
【０００４】
本発明は、このような事情に鑑みてなされたもので、その目的は、防水パンの浴槽裏側部分への水の進入を防止して、その汚れ発生を抑制し得る防水パンを提供することにある。また、他の目的は、前記目的に加え、浴槽の支持強度アップを図ると共に浴槽の保温効果等を高めることが可能な防水パンを提供することにある。
【課題を解決するための手段】
【０００５】
かかる目的を達成すべく、本発明のうち請求項１に記載の発明は、皿状に形成された本体の底面上に浴槽が載置されると共に、前記本体の底面で洗い場が連設される幅方向の一端側に排水口が設けられた防水パンであって、前記本体の底面で排水口の近傍に、該底面の浴槽裏側部分への水の進入を防止し得る水進入防止手段を設けたことを特徴とする。
【０００６】
そして、前記水進入防止手段は、請求項２に記載の発明のように、本体の底面に一体形成された堰であることが好ましい。また、前記水進入防止手段は、請求項３に記載の発明のように、浴槽の底壁を下面側から覆うように前記本体の底面を嵩上げした嵩上げ部で形成されていることが好ましく、この場合、前記嵩上げ部は、請求項４に記載の発明のように、中空状もしくは忠実状に形成されていることが好ましい。さらに、前記嵩上げ部は、請求項５に記載の発明のように、浴槽の底壁の半分以上に密着し得る形状に形成されて浴槽を支持する機能を有することが好ましい。
【発明の効果】
【０００７】
本発明の請求項１に記載の発明によれば、皿状に形成された本体の底面で排水口近傍に、底面の幅方向の他端側に形成される浴槽裏側部分への水の進入を防止し得る水進入防止手段が設けられているため、洗い場から進入した水や排水口から逆流した排水口部分の水が、水進入防止手段により浴槽裏側部分に進入するのを確実に防止できて、清掃が困難な本体の浴槽裏側部分の汚れ発生を抑制することができる。
【０００８】
また、請求項２に記載の発明によれば、請求項１に記載の発明の効果に加え、水進入防止手段が本体の底面に一体形成された堰であるため、排水口部分の水の浴槽裏側部分への進入を堰によって一層確実に防止して汚れ発生を抑制できると共に、例えば堰に浴槽の底壁を支持する脚の機能を容易に持たせることができて、浴槽の設置作業等を容易に行うことができる。
【０００９】
また、請求項３に記載の発明によれば、請求項１に記載の発明の効果に加え、水進入防止手段が浴槽の底壁を下面側から覆うように本体の底面を嵩上げした嵩上げ部で形成されているため、排水口部分の水の浴槽裏側部分への進入を嵩上げ部によって一層確実に防止して汚れ発生を抑制することができる。
【００１０】
また、請求項４に記載の発明によれば、請求項３に記載の発明の効果に加え、嵩上げ部が中空状もしくは忠実状に形成されているため、中空状の嵩上げ部により断熱効果が得られて浴槽の保温効果を高めることができたり、忠実状の嵩上げ部により浴槽の支持強度や保温効果を高めることができる。
【００１１】
さらに、請求項５に記載の発明によれば、請求項３または４に記載の発明の効果に加え、嵩上げ部が浴槽の底壁の半分以上に密着し得る形状に形成されて浴槽を支持する機能を有するため、浴槽の底壁の半分以上が嵩上げ部に密着して浴槽の保温効果を一層高めることができると共に、支持機能により浴槽設置時の高さ調整作業等が不要となり、施工作業の効率化を図ることができる。
【発明を実施するための最良の形態】
【００１２】
以下、本発明の実施の形態を図面に基づいて詳細に説明する。
図１及び図２は、本発明に係わる防水パンの一実施形態を示し、図１がその斜視図、図２がそのＡ−Ａ線に沿った縦断面図である。
【００１３】
図１及び図２において、防水パン１は、樹脂成形により、平面視長方形状の底面２ａとこの底面２ａの外周縁に立設された立上り部２ｂからなり全体としての皿形状に形成された本体２を有している。そして、この本体２の底面２ａには、図示しない洗い場が連設される幅方向の一端側で長手方向の略中間位置に、排水トラップ４が取り付けられる排水口３が穿設されると共に、この排水口３の近傍の底面２ａには水進入防止手段としての堰５が設けられている。
【００１４】
この堰５は、本体２の底面２ａで排水口３から反洗い場側（幅方向の他端側）方向に所定距離隔てて、前後の立上り部２ｂ間に直線状に一体成形されており、その長手方向の中央部分が底面２ａより所定高さを有するように形成されている。この堰５によって、本体２の底面２ａが、洗い場側に位置する排水口部分２Ａと浴槽裏側に位置する浴槽裏側部分２Ｂとに分割された状態となり、後述するように排水口部分２Ａの水の浴槽裏側部分２Ｂへの進入が防止（阻止）されるようになっている。なお、前記浴槽裏側部分２Ｂの幅は、例えば浴槽裏側部分２Ｂに浴槽６の底壁６ａに設けた幅方向一対の脚７が載置され得る寸法に設定されている。
【００１５】
このように構成された防水パン１は、施工現場の床面であるコンクリート躯体上に、洗い場側防水パン（図示せず）と連結されて水平状態で設置され、この設置された防水パン１上の底面２ａ上に、図２の二点鎖線で示すように、浴槽６の脚７をそれぞれ載置すると共に、浴槽６の底壁６ａの排水孔に取り付けられた排水管８（もしくは接続口）と、本体２の底面２ａの排水口３に取り付けられた排水トラップ４とを連結することにより、底面２ａ上に浴槽６が設置される。そして、この浴槽６の防水パン１への設置状態において、防水パン１の排水口３の近傍に堰５が設けられていることから、排水口部分２Ａに進入した水は、堰５により図２の矢印イ方向である浴槽裏側部分２Ｂへの進入が防止されて、全ての水が矢印ロ如く排水トラップ４内に流入して浴室外に排水されることになる。
【００１６】
なお、この例においては、堰５の高さを浴槽６の脚７の高さより低く設定したが、例えば図２の二点鎖線で示すように、堰５の高さを脚７の高さと同一に設定することで、浴槽６の幅方向の両側に設けられる脚７のうち、洗い場側の前後一対の脚７を省略して、浴槽６の底壁６ａを堰５の上面に直接載置するように構成することもできる。
【００１７】
このように、上記実施形態の防水パン１にあっては、皿状に形成された本体２の底面２ａで排水口３より反洗い場側である幅方向の他端側に、浴槽裏側部分２Ｂへの水の進入を防止する所定高さの堰５が設けられているため、洗い場から進入した水や排水口３から逆流した排水口部分２Ａの水が、堰５によって浴槽裏側部分２Ｂに進入するのを確実に防止することができる。その結果、清掃具等による清掃が困難であった底面２ａの浴槽裏側部分２Ｂの汚れ発生を抑制できて、防水パン１の全域の清潔さを長期に亘り良好に維持することができる。
【００１８】
また、防水パン１の底面２ａにその長手方向の全域に堰５を一体形成することで水進入防止手段が設けられているため、堰５を一体形成によって簡単に形成できて、安価な防水パン１が得られると共に、堰５が本体２の長手方向の全域に一体形成されていることから、堰５が補強用リブとしても機能して本体２の強度アップを図ることができ、浴槽６の防水パン１に対する支持状態を長期に亘り安定維持することができる。さらに、堰５の高さを所定に設定して浴槽６の底壁６ａを支持する脚７の機能を持たせるようにすれば、浴槽６の設置時の高さ調整作業等が簡略化されて、その施工作業を容易に行うことが可能となる。
【００１９】
図３〜図８は、本発明に係わる防水パンのそれぞれ他の実施形態を示している。以下、上記実施形態と同一部位には同一符号を付して説明する。先ず、図３及び図４に示す実施形態の防水パン１の特徴は、本体２の底面２ａで前記浴槽裏側部分２Ｂに、縦断面が略円弧形状に形成された嵩上げ面９ａと傾斜面９ｂからなる水進入防止手段としての嵩上げ部９を底面２ａの長手方向全域に亘り形成した点にある。
【００２０】
そして、本体２の嵩上げ面９ａ上に、幅方向の形状が嵩上げ面９ａと同一形状に形成された浴槽６の底壁６ａと側壁下部を密着状態で載置し、底壁６ａに設けた排水孔に接続された排水管８を本体２ａの排水口３に連結する。なお、嵩上げ部９の嵩上げ面９ａの面積（大きさ）は、浴槽６の底壁６ａの幅方向の半分以上を下面側から覆うことができるように設定されている。また、防水パン１の本体２の嵩上げ部９は、樹脂成形により図に実線で示すように忠実状に形成するか、あるいは図に二点鎖線ａで示すようにブロー成型等により中空状（もしくは図示しない断熱材が充填された中空状）に形成することができる。
【００２１】
この実施形態においても、嵩上げ部９の嵩上げ面９ａが傾斜面９ｂの略高さ分だけ排水口３により高い位置となり、排水口部分２Ａに進入した水の矢印イ方向への進入が確実に防止されて、本体２の浴槽裏側部分２Ｂの汚れが抑制されることになり、上記実施形態と同様の作用効果を得ることができると共に、次のような作用効果を得ることもできる。
【００２２】
すなわち、防水パン１の嵩上げ部９の嵩上げ面９ａに、浴槽６の底壁６ａの半分以上が密着状態で載置されるため、嵩上げ部９の高さ形状等を予め所定に設定することで浴槽６の高さ調整作業が不要となり、浴槽６の設置作業時間が短縮できる等、施工作業の作業性を向上させることができると共に、防水パン１の嵩上げ部９で浴槽６が直接支持されることから、浴槽６の底壁６ａに従来設けられていた脚７が不要となり、浴槽６の形状が簡略化されてその製造が容易に行える等、浴槽６自体のコストダウンを図ることができる。
【００２３】
また、防水パン１の本体２の底面２ａに肉厚な嵩上げ部９が形成されるため、この嵩上げ部９により防水パン１自体の強度アップが図れて、浴槽６の長期に亘る安定した支持状態が得られると共に、肉厚な嵩上げ面９ａへの底壁６ａの密着により底壁６ａが見掛け上厚くなって、浴槽６の保温能力（保温効果）を高めて、浴槽６内の湯の温度低下を抑制すること等が可能となる。この時、嵩上げ部９を忠実状に形成すれば、樹脂の特性によって所定の保温効果が得られると共に防水パン１の一層の強度アップが図れ、嵩上げ部９を中空状（もしくは断熱材が充填された中空状）に形成すれば、内部の空気等によって所定の保温効果が得られると共に防水パン１の軽量化が図れて設置作業の作業性の一層の向上が図れることになる。
【００２４】
また、図５及び図６に示す実施形態の防水パン１の特徴は、前記嵩上げ部９の形状を本体２の他の部分と略同一肉厚で所定形状の２つの嵩上げ面９ａ１、９ａ２と傾斜面９ｂで形成すると共に、この嵩上げ部９を本体２の両立上り部２ｂ間に形成した点にある。そして、嵩上げ部９の嵩上げ面９ａ２に浴槽６の底壁６ａを密着状態で載置することにより、防水パン１の底面２上に浴槽６が載置されるように設定されている。
【００２５】
この時、防水パン１の底面２ａで嵩上げ部９の裏側（反浴槽設置側）に、図６の二点鎖線で示すようなリブ１０を底面２ａの長手方向に沿って所定間隔で一体形成し、嵩上げ部９の強度アップを図ることもできる。なお、この実施形態の場合は、本体２の底面２ａに設けられる嵩上げ面９ａ２で浴槽６の底壁６ａの略半分を密着支持したが、嵩上げ面９ａ２の幅を広くして浴槽６の底壁６ａの半分以上に密着支持し得る形状とする等、浴槽６の底壁６ａ形状等に応じて適宜に変更することができる。この実施形態においても、図４に示す防水パン１と略同様の作用効果を得ることができると共に、嵩上げ部９の肉厚が薄くなって、防水パン１自体の軽量化が図れ、その運搬や設置が容易に行えるという作用効果を得ることができる。
【００２６】
さらに、図７及び図８に示す実施形態の防水パン１の特徴は、前記嵩上げ部９を本体２の底面２ａの長手方向ではなく、底面２ａに浴槽６の底壁６ａと略同一形状の例えば楕円形状に形成し、忠実状もしくは中空状の嵩上げ部９の嵩上げ面９ａ上に浴槽６の底壁６ａの排水孔部分を除く略全域を密着状態で載置した点にある。すなわち、嵩上げ部９の傾斜面９ｂを浴槽６の底壁６ａの全体形状と略合致する楕円形状に形成することにより、浴槽６の底壁６ａと該底壁６ａに連続する側壁下部が嵩上げ部９の嵩上げ面９ａに密着状態で載置されるようになっている。この実施形態においても、図４に示す防水パン１と略同様の作用効果を得ることができると共に、嵩上げ部９で浴槽６の底壁６ａの略全域を支持できて、浴槽６の支持状態がより一層安定するという作用効果を得ることができる。
【００２７】
なお、上記各実施形態においては、水進入防止手段としての堰５や嵩上げ部９により、本体２の排水口部分２Ａから浴槽裏側部分２Ｂへの水の進入を防止したが、例えば堰５の底面２ａ部分に図示しない水抜き孔を設けたり、嵩上げ部９の嵩上げ面９ａに図示しない水抜き溝を設けて、万一浴槽裏側部分２Ｂに排水口部分２Ａ以外の個所から水が進入した際に、この水を排水口部分２Ａに流すように形成しても良い。この場合、水抜き孔や水抜き溝を所定間隔で部分的に設けたり、水抜き孔として排水口部分２Ａ側が径小のテーパー孔とする等して、排水口部分２Ａから浴槽裏側部分２Ｂへの水の進入がほとんど防止できる構成を採用することが好ましい。
【００２８】
また、上記各実施形態においては、堰５と嵩上げ部９のいずれかで水進入防止手段を形成したが、例えば堰５と嵩上げ部９を併用して水進入防止手段を形成しても良いし、浴槽裏側部分２Ｂへの水の進入を防止し得る他の適宜の機構や構造を採用することができる。さらに、上記各実施形態における、防水パン１の全体形状や底面２ａの形状、あるいは浴槽６の底壁６ａの形状、浴槽６の排水孔と防水パン１の排水口３の位置関係や連結構造等も一例であって、本発明に係わる各発明の要旨を逸脱しない範囲において適宜に変更することができる。
【産業上の利用可能性】
【００２９】
本発明は、浴室ユニットの洗い場側防水パンと分割状態とされた防水パンに限らず、洗い場側防水パンが一体成形された防水パンにも適用できる。
【図面の簡単な説明】
【００３０】
【図１】本発明に係わる防水パンの一実施形態を示す斜視図
【図２】同そのＡ−Ａ線に沿った縦断面図
【図３】本発明に係わる防水パンの他の実施形態を示す平面図
【図４】同そのＢ−Ｂ線に沿った縦断面図
【図５】本発明に係わる防水パンのさらに他の実施形態を示す斜視図
【図６】同そのＣ−Ｃ線に沿った縦断面図
【図７】本発明に係わる防水パンのさらに他の実施形態を示す平面図
【図８】同そのＤ−Ｄ線沿った縦断面図
【符号の説明】
【００３１】
１・・・防水パン、２・・・本体、２ａ・・・底面、２ｂ・・・立上り部、２Ａ・・・排水口部分、２Ｂ・・・浴槽裏側部分、３・・・排水口、４・・・排水トラップ、６・・・浴槽、６ａ・・・底壁、７・・・脚、８・・・排水管、９・・・嵩上げ部、９ａ、９ａ１、９ａ２・・・嵩上げ面、９ｂ・・・傾斜面、１０・・・リブ。
【図１】
2006226075.tif 000003
【図２】
2006226075.tif 000004
【図３】
2006226075.tif 000005
【図４】
2006226075.tif 000006
【図５】
2006226075.tif 000007
【図６】
2006226075.tif 000008
【図７】
2006226075.tif 000009
【図８】
2006226075.tif 000010